(57)【要約】【課題】被保護者の人格を大事にし、被保護者と保護者とを一体感をもって繋ぐ保護用安全ベルトを提供する。【解決手段】幼児に取り付けるための被保護者用取り付け具３と、母親に取り付けるための保護者用取り付け具４とを、細長紐状体２によって連結する。また、被保護者用取り付け具３及び保護者用取り付け具４に、互いに対を成す装飾具５，６の何れか一方をそれぞれ取り付けることにより保護用安全ベルト１とする。そして、この保護用安全ベルト１は、被保護者用取り付け具３を幼児の二の腕部分に取り付け、保護者用取り付け具４を母親の手首部分に取り付けることとする。【選択図】図１
2004049267.tif 000002
【特許請求の範囲】
【請求項１】
細長紐状体の一端に被保護者に取り付けるための被保護者用取り付け具を有するとともに、他端に保護者に取り付けるための保護者用取り付け具を有する保護用安全ベルトであって、上記被保護者用取り付け具及び上記保護者用取り付け具に、互いに対を成す装飾具をそれぞれ取り付けたことを特徴とする保護用安全ベルト。
【請求項２】
前記装飾具は、同種のものであることを特徴とする請求項１記載の保護用安全ベルト。
【請求項３】
前記装飾具は、被保護者用取り付け具側と保護者用取り付け具側とで異なる大きさとしたことを特徴とする請求項１または２記載の保護用安全ベルト。
【請求項４】
前記被保護者用取り付け具及び前記保護者用取り付け具は、ともに腕輪型であることを特徴とする請求項１から３の何れか一項記載の保護用安全ベルト。
【発明の詳細な説明】
【０００１】
【発明の属する技術分野】
この発明は、主として幼児のような他者の保護、監督を要する被保護者と、被保護者を保護、監督する保護者とを一体感をもって繋ぎ、被保護者の行動範囲をある程度許容しながら、被保護者が危険な領域に行くのを防止する保護用安全ベルトに関する。
【０００２】
【従来の技術】
近年、幼児等の被保護者が事故や迷子に合うことを防止するために、その行動範囲を規制するようにした安全具が種々提案されている。例えば、実開平７−１４９５８には、被保護者である幼児にたすきがけ状にベルトを装着し、このベルトの背中での交差部分に伸縮自在のコードを連結して、このコードの先端部を保護者が保持するようにしたものが開示されている。また、特開平１０−１１７８９７には、被保護者である幼児にリュック型の装着具を背負わせ、装着具の左右両側に案内紐の各端部を取り付け、この案内紐に沿って移動可能な状態に引綱の一端部を連結し、引綱の他端側を保護者が保持するようにしたものが開示されている。
【０００３】
【発明が解決しようとする課題】
しかしながら上述した安全具は、何れも被保護者である幼児の背中側でコードあるいは引綱を連結し、その端部を保護者が保持することにより、被保護者（幼児）を危険から守ろうとするものであり、その様子はいかにもペットを繋いでいるようで印象が悪い。しかも、常に被保護者（幼児）の背中側でその行動範囲を規制するようにしたものであることから、被保護者（幼児）と保護者（親）との一体感が無く、両者の信頼関係は皆無のように感じられてしまう。
【０００４】
本発明は、上記の事情に基づきなされたもので、その目的とするところは、被保護者の人格を大事にし、被保護者を必要以上に物理的に拘束することなく、ある程度被保護者の行動範囲を許容しながら、被保護者が危険な領域に行くことを防止するようにした、被保護者と保護者とを一体感をもって繋ぐ保護用安全ベルトを提供することにある。
【０００５】
【課題を解決するための手段】
本発明は、単に被保護者と保護者とを細長紐状体を介して繋ぐのではなく、一見して被保護者と保護者とが一体感をもって結ばれていることがわかる物品を被保護者と保護者との双方に取り付けるようにして、両者を繋ぐようにしたものである。また、この被保護者と保護者とを繋ぐ細長紐状体の取り付けも、被保護者の人格を大事にしつつ、被保護者を必要以上に物理的に拘束することの無い被保護者側の部位と、被保護者が危険な領域に行くことを防止し易いようにした保護者側の部位とに取り付けるようにしたものである。
【０００６】
すなわち、上述の目的を達成するため、本発明の保護用安全ベルトは、細長紐状体の一端に被保護者に取り付けるための被保護者用取り付け具を有し、他端に保護者に取り付けるための保護者用取り付け具を有する保護用安全ベルトであって、上記被保護者用取り付け具及び上記保護者用取り付け具に、互いに対を成す装飾具をそれぞれ取り付けるようにしたものである。
【０００７】
本発明で言う互いに対を成す装飾具とは、被保護者用取り付け具に取り付けられた装飾具と保護者用取り付け具に取り付けられた装飾具との双方を一見して、両者は何らかの特別な関係を有していることが分かることとなる模様等が描かれた平面的なワッペンや、これを立体的に表した人形もしくはぬいぐるみのことを言う。
【０００８】
したがって、この互いに対を成す装飾具により、装飾具が取り付けられた取り付け具が取り付けられた当事者（被保護者及び保護者）は、単に装飾的な遊び心だけでなく、二人だけ特別という一体感が生まれ、両者の絆（信頼関係）を大事にすることができ、一方、第三者は双方を一見して、両者は何らかの特別な関係を有しているということが分かる。
【０００９】
また、他の発明は、上述の発明の保護用安全ベルトに加え、互いに対を成す装飾具は、同種のもの同士としたものである。同種の装飾具としては、例えば、同じキャラクターや動物、花等といった模様同士とするものである。これにより、同種の装飾具が取り付けられた取り付け具が取り付けられた当事者（被保護者及び保護者）は、二人はお揃いという共通した一体感が生まれ、両者の絆（信頼関係）を大事にすることができ、一方、第三者は双方を一見して、両者は親子か兄弟、先生と生徒といった何らかの特別な関係を有しているということが分かる。
【００１０】
また、他の発明は、上述の各発明の保護用安全ベルトに加え更に、装飾具は、被保護者用取り付け具側と保護者用取り付け具側とで異なる大きさとしたものである。異なる大きさとする装飾具としては、例えば、キャラクターや動物の親子とするものである。そして、例えば、被保護者用取り付け具側に動物の子供の装飾具を取り付け、保護者用取り付け具側に動物の親の装飾具を取り付けるようにする。これにより、異なる大きさとした装飾具が取り付けられた取り付け具が取り付けられた当事者（被保護者及び保護者）は、二人は親子（もしくは兄弟）という共通した一体感が生まれ、両者の絆（信頼関係）を大事にすることができ、一方、第三者も双方を一見して、両者は親子（もしくは兄弟）であるということを察することが出来る。
【００１１】
なお、本発明の装飾具は、上述したように同種のものや異なる大きさとしたものに限られるものではなく、あくまで被保護者用取り付け具側と保護者用取り付け具側とに取り付けられた双方の装飾具を見て、この装飾具が取り付けられた両者が何らかの特別な関係を有していることが分かれば良いので、例えば、月とロケット、花と蝶もしくは蜜蜂、といったものの組み合わせとしても良い。
【００１２】
また、他の発明は、上述の各発明の保護用安全ベルトに加え更に、被保護者用取り付け具及び前記保護者用取り付け具は、ともに腕輪型としたものである。
【００１３】
本発明で言う腕輪型の取り付け具とは、被保護者や保護者の二の腕（肩からわきの下あたりを含む）や手首に取り付け可能な形状及び構造を有したものであり、例えば、予め筒状に形成されたもの（所謂リストバンド）や、細長帯状体の対向する端部同士をボタンやホック、面状ファスナー等の係止具によって連結し筒状としたもの、細長紐状体の端部を折り返して係止し環状に形成したもの等が考えられる。
【００１４】
【発明の実施の形態】
以下、本発明の各実施の形態について図面に基づき説明するが、何れの実施の形態においても被保護者を幼児とし、保護者を母親として説明する。
（第一の実施の形態）
まず、図１乃至図３に基づき、本発明の第一の実施形態に係る保護用安全ベルト１を説明する。図１は、本発明の第一の実施形態に係る保護用安全ベルトを示す正面図であり、図２はその上面図、図３はその背面図である。
【００１５】
本発明の保護用安全ベルト１は、幼児に取り付けるための被保護者用取り付け具３と、母親に取り付けるための保護者用取り付け具４と、被保護者用取り付け具３と保護者用取り付け具４とを連結する細長紐状体２と、被保護者用取り付け具３及び保護者用取り付け具４にそれぞれ取り付ける互いに対を成す装飾具５，６とからなるものである。
【００１６】
細長紐状体２は、幼児を必要以上に物理的に拘束することなく、ある程度幼児の行動範囲を許容しながら、幼児が危険な領域に行くことを防止するようにしたものであり、幅２ｃｍ、長さ１ｍ程度を有する布製の連結部材であり、その各端部を被保護者用取り付け具３または保護者用取り付け具４にそれぞれ縫い付けることにより取り付けている。
【００１７】
また、この細長紐状体２は、係止鈎受（孔）と係止鈎よりなるバックルやスライド環といった長さ調節部材を途中に介在させて連結するようにしても良い。さらに、細長紐状体２を、ある程度伸長する伸縮性を有する素材により構成しても良い。なお、細長紐状体２の幅や長さの寸法、及び素材は、幼児の行動許容範囲や保護用安全ベルト１の扱い易さによって適宜調整、選択する。
【００１８】
被保護者用取り付け具３及び保護者用取り付け具４は、本実施の形態の場合、共に幅３ｃｍ、長さ２０ｃｍ程度を有する細長帯状体１３及び１４を、幼児または母親の腕にそれぞれ巻き付けることの出来るように筒状体を形成したものであり、細長帯状体１３及び１４は、パイル加工が施されたタオル地のような柔軟な素材よりなる。そして、この細長帯状体１３及び１４の対向する各端部１３ａ，１３ｂ及び１４ａ，１４ｂには、共に係止具としての係合ホック７ａ，７ｂが取り付けられており、この係合ホック７ａ，７ｂ同士を係止することで、細長帯状体１３及び１４の対向する各端部１３ａ，１３ｂ及び１４ａ，１４ｂ同士をそれぞれ連結し、幼児または母親の腕にそれぞれ巻き付けることの出来る筒状体を形成する。
【００１９】
このように係合ホック７ａ，７ｂ同士の係止によって筒状体が容易に形成されるので、わざわざ筒状体の内部に腕先から挿入したりせずに、幼児または母親の腕への被保護者用取り付け具３及び保護者用取り付け具４の取り付け作業を効率良く行なうことが出来る。なお、係止具は安定した係合状態を維持できるものであればその構造は特に限定されず、係合ホックの他にボタンや面状ファスナーとしても良い。
【００２０】
また、本実施の形態の場合、被保護者用取り付け具３及び保護者用取り付け具４は、幼児または母親の腕への取り付け作業の効率を考慮して細長帯状体１３及び１４の対向する各端部１３ａ，１３ｂ及び１４ａ，１４ｂ同士をそれぞれ連結することで筒状体を形成することが出来るものとしたが、これに限らず予め細長帯状体１３及び１４の対向する各端部１３ａ，１３ｂ及び１４ａ，１４ｂ同士をそれぞれ縫製し、初めから筒状体を形成したものとしても良い。
【００２１】
この場合、装着において筒状体の内部に腕先から挿入しなければならないという手間を要するものの、保護用安全ベルト１が引っ張られ緊張状態となったときに、被保護者用取り付け具３または保護者用取り付け具４が幼児または母親の腕から無闇に外れないという安全性を有している。
【００２２】
被保護者用取り付け具３または保護者用取り付け具４に取り付ける互いに対を成す装飾具５，６は、本発明の実施の形態においては、共に長さ８ｃｍ程度の同大、同種の、布製の熊の人形を採用した。そして、この装飾具５，６をそれぞれ被保護者用取り付け具３または保護者用取り付け具４に縫い付けて取り付けることにより、装飾具５または６を有する被保護者用取り付け具３または保護者用取り付け具４によって、幼児と母親とを一体感をもって繋ぐことが出来る。
【００２３】
以上のように構成した保護用安全ベルト１は、被保護者用取り付け具３を、幼児の肩からわきの下にかけての二の腕部分に取り付け、保護者用取り付け具４を、母親の手首部分に取り付けるようにすることが望ましい。これにより、普段は幼児の動作を抑制することが無く、幼児が急に許容範囲を超えた動作をした時にはその動作を抑制して幼児を保護者側に振り向かせることを促すようにすることが出来る。しかも、この保護用安全ベルト１は、普段は母親の動作を抑制することは無く、幼児が許容行動範囲を超えた動作をした時には母親の動作を抑制して幼児の動作の制御を可能とすることが出来る。
【００２４】
すなわち、被保護者用取り付け具３を、幼児の肩からわきの下にかけての二の腕部分に取り付けると、幼児は両手が自由に使えるので拘束感を感じ難い。しかし、図５に示すように、幼児Ｃが急に許容範囲を超えた動作を（すなわち、細長紐状体２の長さ以上離れようと）すると（図５（イ）及び（ロ）参照）、被保護者用取り付け具３によって丁度二の腕部分（もしくは肩部分）を捕まれたようになり、許容範囲を超えようとする外側への勢いと合わさって二の腕部分（もしくは肩部分）を軸に後ろを振り向くように回転することとなる（図５（ハ）参照）。そして、幼児Ｃは後ろを振り向くことで、保護用安全ベルト１で繋がれた母親Ｍと目が合い、常に母親Ｍに見守られ一緒に居るという安心感を覚える。
【００２５】
また、幼児Ｃは保護用安全ベルト１で繋がれた状態において、被保護者用取り付け具３に母親Ｍと対を成す装飾具５が取り付けられていることから、自分（幼児Ｃ）と母親Ｍとは同じ仲間であるといったような一体感を覚える。
【００２６】
（第二の実施の形態）
次に、第二の実施の形態として、互いに対を成す装飾具を、被保護者用取り付け具側と保護者用取り付け具側とで異なる大きさとした場合について、図６を参照しながら説明する。図６において、互いに対を成し異なる大きさとした装飾具としては、上記第一の実施の形態と同じく布製の熊の人形であって、同種の小さな子供の熊の人形２５と大きな親の熊の人形２６を採用した。ここで、本実施の形態においては、上述の通り互いに対を成す装飾具以外は全て前記第一の実施の形態と同じ構成としたので、図中の符号は第一の実施の形態における説明において用いた図１での符号と同じ符合を用いることとし、さらに、必要以外その説明は省略することとした。そして、第二の実施の形態に続いて述べる他の実施の形態においても、前記第一の実施の形態と同じ構成とした箇所は図１での符号と同じ符合を用いることとし、その説明は省略することとした。
【００２７】
図６に示す保護用安全ベルト２１は、幼児に取り付けるための被保護者用取り付け具３と、母親に取り付けるための保護者用取り付け具４と、被保護者用取り付け具３と保護者用取り付け具４とを連結する細長紐状体２と、被保護者用取り付け具３に取り付ける小さな子供の熊の人形からなる装飾具２５と、保護者用取り付け具４に取り付ける大きな親の熊の人形からなる装飾具２６とからなるものである。
【００２８】
細長紐状体２は、幼児を必要以上に物理的に拘束することなく、ある程度幼児の行動範囲を許容しながら、幼児が危険な領域に行くことを防止するようにしたものであり、幅２ｃｍ、長さ１ｍ程度を有する布製の連結部材である。また、その各端部を被保護者用取り付け具３または保護者用取り付け具４にそれぞれ縫い付けることにより取り付けている。なお、細長紐状体２は、ある程度伸長する伸縮性を有する素材により構成するようにしても良く、細長紐状体２の幅や長さの寸法、及び素材も、上述したものに限らず、幼児の行動許容範囲や保護用安全ベルト１の扱い易さによって適宜調整、選択しても良い。
【００２９】
被保護者用取り付け具３及び保護者用取り付け具４は、本実施の形態の場合もまた、共に幅３ｃｍ、長さ２０ｃｍ程度を有する細長帯状体１３及び１４を、幼児または母親の腕にそれぞれ巻き付けることの出来るように筒状体を形成したものであり、細長帯状体１３及び１４は、パイル加工が施されたタオル地のような柔軟な素材よりなる。そして、この細長帯状体１３及び１４の対向する各端部には、共に係止具としての係合ホックが取り付けられており、この係合ホック同士を係止することで、細長帯状体１３及び１４の対向する各端部同士をそれぞれ連結し、幼児または母親の腕にそれぞれ巻き付けることの出来る筒状体を形成するようになっている。
【００３０】
被保護者用取り付け具３または保護者用取り付け具４に取り付ける互いに対を成し異なる大きさとした装飾具２５，２６は、本発明の実施の形態においては、小さい子供の熊の人形よりなる装飾具２５を６ｃｍ程とし、大きい大人の熊の人形よりなる装飾具２６を１０ｃｍ程とした。そして、小さな子供の熊の人形からなる装飾具２５を被保護者用取り付け具３側に取り付け、大きな親の熊の人形からなる装飾具２６を保護者用取り付け具４側に取り付けるようにする。
【００３１】
以上のように構成した保護用安全ベルト２１もまた、被保護者用取り付け具３を幼児の肩からわきの下にかけての二の腕部分に取り付け、保護者用取り付け具４を母親の手首部分に取り付けるようにすると望ましい。これにより、幼児と母親とを一体感をもって繋ぐことが出来る。しかも、この保護用安全ベルト２１を見た第三者は、一見して両者は親子であるということを察することが出来る。
【００３２】
なお、互いに対を成す装飾具は、上記実施の形態のように同種のものや異なる大きさとしたものの他、第三者が被保護者用取り付け具側と保護者用取り付け具側とに取り付けられた双方の装飾具を一見して、この装飾具が取り付けられた両者が親子や兄弟といった何らかの特別な関係を有していることが分かれば良いので、図示しないが、例えば、月とロケット、花と蝶もしくは蜜蜂、といったものの組み合わせとしても良い。
【００３３】
（第三の実施の形態）
次に、第三の実施の形態として、被保護者用取り付け具と保護者用取り付け具とを連結する細長紐状体の端部を折り返して係止し環状に形成することにより、細長紐状体の各端部を腕輪型の取り付け具とした場合について、図７を参照しながら説明する。
【００３４】
本発明の保護用安全ベルト３１は、幼児に取り付けるための被保護者用取り付け部３３と、母親に取り付けるための保護者用取り付け部３４と、被保護者用取り付け部３３と保護者用取り付け部３４とを連結する細長紐状体３２と、被保護者用取り付け部３３及び保護者用取り付け部３４にそれぞれ取り付ける互いに対を成す装飾具５，６とからなるものである。
【００３５】
細長紐状体３２は、幼児を必要以上に物理的に拘束することなく、ある程度幼児の行動範囲を許容しながら、幼児が危険な領域に行くことを防止するようにしたものであり、幅３ｃｍ、長さ１．４ｍ程度を有するパイル加工が施されたタオル地のような柔軟な素材よりなる。そして、細長紐状体３２の各端部３２ａ，３２ｂは、細長紐状体３２自身に向かって環状に折り返され、細長紐状体３２の各端部３２ａ，３２ｂと、この端部３２ａ，３２ｂを折り返すことにより端部３２ａ，３２ｂが対向する細長紐状体３２の所定位置とにそれぞれ取り付けられた係止具としての係合ホック３７ａ，３７ｂ同士を係止することで、幼児または母親の腕にそれぞれ巻き付けることの出来る、筒状体の被保護者用取り付け部３３及び保護者用取り付け部３４を形成する。
【００３６】
なお、細長紐状体３２は、ある程度伸長する伸縮性を有する素材により構成するようにしても良く、また、細長紐状体３２の幅や長さの寸法、及び素材は、幼児の行動許容範囲や保護用安全ベルト３１の扱い易さによって適宜調整、選択する。
【００３７】
また、被保護者用取り付け部３３または保護者用取り付け部３４に取り付ける互いに対を成す装飾具５，６は、上記第三の実施の形態においては、第一の実施の形態と同様に、共に長さ８ｃｍ程度とした同大、同種の布製の、熊の人形を採用した。そして、この装飾具５，６をそれぞれ被保護者用取り付け部３３または保護者用取り付け部３４に縫い付けて取り付けることにより、装飾具５または６を有する細長紐状体３２と一体に連接された被保護者用取り付け部３３または保護者用取り付け部３４によって、幼児と母親とを一体感をもって繋ぐことが出来る。
【００３８】
以上のように構成した保護用安全ベルト３１もまた、被保護者用取り付け部３３を、幼児の肩からわきの下にかけての二の腕部分に取り付け、保護者用取り付け部３４を、母親の手首部分に取り付けるようにすると望ましい。これにより、幼児と母親とを一体感をもって繋ぐことが出来る。しかも、この保護用安全ベルト３１は、保護用安全ベルト１が引っ張られ緊張状態となったときに、被保護者用取り付け部３３または保護者用取り付け部３４が細長紐状体３２から離脱しないという安全性を有している。
【００３９】
なお、上記各実施に形態においては、被保護者を幼児、保護者を母親とした場合について本発明の保護用安全ベルトとその取り付け方法を採用して説明したが、本発明の保護用安全ベルトとその取り付け方法はこれに限らず、知的（精神）障害者や痴呆老人といった他者の保護、監督を要する者を被保護者とし、被保護者を保護、監督する者を保護者とする場合にも当然採用することが出来るものである。
装飾具は、被保護者用取り付け具及び保護者用取り付け具に対し、例えば平面ファスナなどを利用して交換可能としてもよい。こうしておけば、幼児の成長に合わせて、あるいは季節の変化に合わせて、適宜そのときの好みのものに交換することができ、より一層楽しいものになる。
【００４０】
【発明の効果】
本発明によれば、互いに対を成す共通の装飾具を取り付けるという遊び心によって、被保護者と保護者とに自分たちは特別な運命の紐で結ばれているといった一体感を生じさせ、両者の絆（信頼関係）を大事にしながら幼児等の被保護者が事故や迷子に合うことを防止することが出来る。また、本発明の保護用安全ベルトは、背中側でコードあるいは引綱を連結し、その端部を保護者が保持するものでないことから、いかにもペットを繋いでいるような印象は無く、幼児の独立した人格を認めた上で印象良く幼児の安全を守ることが出来る。しかも、被保護者は拘束感を感じることなく確実に保護、監督されることとなる。
【図面の簡単な説明】
【図１】本発明の第一の実施の形態に係る保護用安全ベルトの正面図である。
【図２】［図１］に示す保護用安全ベルトの平面図である。
【図３】［図１］に示す保護用安全ベルトの背面図である。
【図４】［図１］に示す保護用安全ベルトの取り付け状態を示す図。
【図５】本発明の保護用安全ベルトの取り付けによる被保護者の動きを示す説明図。
【図６】本発明の第二の実施の形態に係る保護用安全ベルトの正面図である。
【図７】本発明の第三の実施の形態に係る保護用安全ベルトの取り付け具を示す部分拡大斜視図である。
【符号の説明】
Ｃ　被保護者（幼児）
Ｍ　保護者（母親）
１，２１，３１　保護用安全ベルト
２　細長紐状体
３　被保護者用取り付け具
４　保護者用取り付け具
５，６，２５，２６　装飾具
７ａ，７ｂ　ホック（係止具）
１３，１４　細長帯状体
３２　細長紐状体
３２ａ（３２ｂ）　（細長紐状体）端部
３３　被保護者用取り付け部
３４　保護者用取り付け部
３７ａ，３７ｂ　ホック（係止具）
【図１】
2004049267.tif 000003
【図２】
2004049267.tif 000004
【図３】
2004049267.tif 000005
【図４】
2004049267.tif 000006
【図５】
2004049267.tif 000007
【図６】
2004049267.tif 000008
【図７】
2004049267.tif 000009